【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
ビデオ画像を符号化する符号化方法であって、
前記ビデオ画像のブロックのうちの夫々１つについて、
（ａ）当該ブロックの因果的近傍における第１の勾配値を計算するステップと、
（ｂ）イントラ予測方向のうちの夫々について、該イントラ予測方向のうちの夫々に沿って前記第１の勾配値を予測することによって、当該ブロックにおける第２の勾配値を計算するステップと、
（ｃ）前記イントラ予測方向のうちの夫々について、当該ブロックにおける前記第２の勾配値からエネルギ値を得るステップと、
（ｄ）前記イントラ予測方向についての前記得られたエネルギ値を使用することによって、少なくとも１つの無指向性イントラ予測モードについてのエネルギ値を得るステップと、
（ｅ）当該ブロックについて、前記得られたエネルギ値に基づき前記イントラ予測方向についての指向性モード及び前記少なくとも１つの無指向性イントラ予測モードの中からイントラ予測モードを決定するステップと
を有する符号化方法。
【請求項２】
前記ステップ（ａ）において、前記第１の勾配値は、当該ブロックの前記因果的近傍におけるピクセル値をフィルタリングすることで求められ、該フィルタリングは、前記イントラ予測方向に関係があり、
Ｎは正の整数であるとして、（２Ｎ＋１）×（２Ｎ＋１）個のピクセル値が前記第１の勾配値のうちの夫々のために使用される、
請求項１に記載の符号化方法。
【請求項３】
前記ステップ（ｃ）において、前記エネルギ値は、前記第２の勾配値の絶対値の和、又は前記第２の勾配値の絶対値の中の最大値である、
請求項１又は２に記載の符号化方法。
【請求項４】
前記ステップ（ｄ）において、前記エネルギ値は、前記イントラ予測方向について前記得られたエネルギ値を平均することによって求められる、
請求項１乃至３のうちいずれか一項に記載の符号化方法。
【請求項５】
前記ステップ（ｅ）において、前記イントラ予測モードは、前記エネルギ値が前記得られたエネルギ値の中で最も高いイントラ予測モードとして決定される、
請求項１乃至４のうちいずれか一項に記載の符号化方法。
【請求項６】
前記ステップ（ｅ）において、前記エネルギ値が前記得られたエネルギ値の中で最も高い前記イントラ予測モードが前記少なくとも１つの無指向性イントラ予測モードのためである場合、且つ、複数の無指向性イントラ予測モードがある場合に、前記イントラ予測モードは、当該ブロックの前記因果的近傍におけるピクセル値及び前記少なくとも１つの無指向性イントラ予測モードに基づく予測されるピクセル値の推定誤差に従って、決定される、
請求項５に記載の符号化方法。
【請求項７】
（ｆ）ＲＤＯに基づく第２のイントラ予測モードを用いて当該ブロックを符号化するステップと、
（ｇ）前記決定されたイントラ予測モードに対する前記第２のイントラ予測モードのインデックスを符号化するステップと
を更に有する請求項１乃至６のうちいずれか一項に記載の符号化方法。
【請求項８】
符号化されたビデオ画像を復号する復号化方法であって、
前記符号化されたビデオ画像のブロックのうちの夫々１つについて、
（ａ）当該ブロックの因果的近傍における第１の勾配値を計算するステップと、
（ｂ）イントラ予測方向のうちの夫々について、該イントラ予測方向のうちの夫々に沿って前記第１の勾配値を外挿することによって、当該ブロックにおける第２の勾配値を計算するステップと、
（ｃ）前記イントラ予測方向のうちの夫々について、当該ブロックにおける前記第２の勾配値からエネルギ値を得るステップと、
（ｄ）前記イントラ予測方向についての前記得られたエネルギ値を使用することによって、少なくとも１つの無指向性イントラ予測モードについてのエネルギ値を得るステップと、
（ｅ）当該ブロックについて、前記イントラ予測方向についての指向性モードに対応する前記得られたエネルギ値及び前記少なくとも１つの無指向性イントラ予測モードに基づきイントラ予測モードを決定するステップと
を有する復号化方法。
【請求項９】
前記ステップ（ａ）において、前記第１の勾配値は、当該ブロックの前記因果的近傍におけるピクセル値をフィルタリングすることで求められ、該フィルタリングは、前記イントラ予測方向に関係があり、
Ｎは正の整数であるとして、（２Ｎ＋１）×（２Ｎ＋１）個のピクセル値が前記第１の勾配値のうちの夫々のために使用される、
請求項８に記載の復号化方法。
【請求項１０】
前記ステップ（ｃ）において、前記エネルギ値は、前記第２の勾配値の絶対値の和、又は前記第２の勾配値の絶対値の中の最大値である、
請求項８又は９に記載の復号化方法。
【請求項１１】
前記ステップ（ｄ）において、前記エネルギ値は、前記イントラ予測方向について前記得られたエネルギ値を平均することによって求められる、
請求項８乃至１０のうちいずれか一項に記載の復号化方法。
【請求項１２】
前記ステップ（ｅ）において、前記イントラ予測モードは、前記エネルギ値が前記得られたエネルギ値の中で最も高いイントラ予測モードとして決定される、
請求項８乃至１１のうちいずれか一項に記載の復号化方法。
【請求項１３】
前記ステップ（ｅ）において、前記エネルギ値が前記得られたエネルギ値の中で最も高い前記イントラ予測モードが前記少なくとも１つの無指向性イントラ予測モードのためである場合、且つ、複数の無指向性イントラ予測モードがある場合に、前記イントラ予測モードは、当該ブロックの前記因果的近傍におけるピクセル値及び前記少なくとも１つの無指向性イントラ予測モードに基づく予測されるピクセル値の推定誤差に従って、決定される、
請求項１２に記載の復号化方法。
【請求項１４】
（ｆ２）前記決定されたイントラ予測モードに基づき復号された第２の予測モードを用いて当該ブロックを復号するステップ
を更に有する請求項８乃至１３のうちいずれか一項に記載の復号化方法。
【請求項１５】
ビデオ画像を符号化する符号化装置であって、
請求項１乃至７のうちいずれか一項に記載の符号化方法の各ステップを実施するよう構成される手段を有する符号化装置。
【請求項１６】
符号化されたビデオ画像を復号する復号化装置であって、
請求項８乃至１４のうちいずれか一項に記載の復号化方法の各ステップを実施するよう構成される手段を有する復号化装置。
【請求項１７】
通信ネットワークからダウンロード可能であり及び／又はコンピュータによって読み出し可能な媒体上に記録され及び／又はプロセッサによって実行可能であるコンピュータプログラムであって、
請求項１乃至７のうちいずれか一項に記載の符号化方法を実施するプログラムコード命令を有するコンピュータプログラム。
【請求項１８】
請求項１７に記載のコンピュータプログラムを記録している非一時的なコンピュータ可読記録媒体。
【請求項１９】
通信ネットワークからダウンロード可能であり及び／又はコンピュータによって読み出し可能な媒体上に記録され及び／又はプロセッサによって実行可能であるコンピュータプログラムであって、
請求項８乃至１４のうちいずれか一項に記載の復号化方法を実施するプログラムコード命令を有するコンピュータプログラム。
【請求項２０】
請求項１９に記載のコンピュータプログラムを記録している非一時的なコンピュータ可読記録媒体。